(57)【要約】【課題】弾性力が少なく局部的に応力がかかると脆くて折れやすいがコストの安い樹脂材料を用いてコストダウンを図ることのできる埋め込み型照明器具を提供する。【解決手段】この埋め込み型照明器具のばね取付部１ｃは、取付ばね２の一端部の長手方向に沿った両側端と並行するように水平方向に所定の間隔を有して並設された一対の立壁１０ａ，１０ａを有し夫々の立壁１０ａの長手方向に沿った前端から対向する立壁１０ａの方向へ向けて延設された延設片１０ｂで取付ばね２の器具本体１と反対側の面を保持するばね保持部１０と、一対の立壁１０ａ，１０ａの間に設けられ取付ばね２の器具本体１側の面を支えるばね支えリブ１１とを備え、ばね保持部１０の延設片１０ｂの下端に、該延設片１０ｂと立壁１０ａと器具本体１の外側面とを一体に接続する補強壁１０ｃを設けたものとした。【選択図】　　　　図１
2004119157.tif 000002
【特許請求の範囲】
【請求項１】
取付面に設けられた埋め込み孔に挿入され、下端に設けられた外鍔部を前記埋め込み孔の周りの取付下面に当接させて取付けられる器具本体と、前記器具本体の外側面下方に設けられたばね取付部と、前記ばね取付部に一端部が固定され他端部の弾性力で前記器具本体を前記取付面に固定する複数の取付ばねとを備え、前記ばね取付部は、前記取付ばねの一端部の長手方向に沿った両側端と並行するように水平方向に所定の間隔を有して一対の立壁が並設され、夫々の立壁の長手方向に沿った前端から対向する立壁の方向へ向けて延設された延設片で前記取付ばねの器具本体と反対側の面を保持するばね保持部と、前記一対の立壁の間に設けられ前記取付ばねの器具本体側の面を支えるばね支えリブとを備え、前記ばね保持部の延設片の下端に、該延設片と前記立壁と前記器具本体の外側面とを一体に接続する補強壁を設けたことを特徴とする埋め込み型照明器具。
【請求項２】
前記補強壁の下面から、該補強壁と直交し該補強壁と前記器具本体の外側面とをつなぐリブを延設したことを特徴とする請求項１記載の埋め込み型照明器具。
【請求項３】
前記立壁の長手方向と並行する２つの前記ばね支えリブを有し、夫々のばね支えリブを、前記一対の立壁間の中心線と夫々の立壁との間で、前記立壁寄りの位置に設けたことを特徴とする請求項２記載の埋め込み型照明器具。
【請求項４】
前記ばね保持部の延設片を厚肉に形成したことを特徴とする請求項３記載の埋め込み型照明器具。
【請求項５】
前記ばね保持部の立壁と延設片との隅部を、該立壁および該延設片の両面に対して斜めに形成したことを特徴とする請求項３記載の埋め込み型照明器具。
【請求項６】
前記ばね保持部の立壁と延設片との隅部にアールを設けたことを特徴とする請求項３記載の埋め込み型照明器具。
【発明の詳細な説明】
【０００１】
【発明の属する技術分野】
本発明は、埋め込み型照明器具に関するものである。
【０００２】
【従来の技術】
以前より、天井などの取付面に設けた埋め込み孔に器具本体を挿入して使用される埋め込み型照明器具（いわゆる、ダウンライト）が提供されている。
【０００３】
これら埋め込み型照明器具の器具本体を取付面に固定する方法としては、弾性を有し略Ｖ字形に折曲された取付ばねの一端を器具本体の側面に取り付け、他端が器具本体の外側斜め上方へ突出するように取付ばねを設けておき、取付ばねの他端が埋め込み孔に入るように取付ばねを弾性変形させた状態で器具本体を埋め込み孔に挿入し、取付ばねの復元力を用いて、取付ばねと器具本体の下端部に設けられた鍔部とで取付面を挟持して固定する方法がある（例えば、特許文献１乃至３参照。）。
【０００４】
上記した取付面への固定方法を用いた従来の埋め込み型照明器具の一例を図９に示す。この埋め込み型照明器具は、天井などの取付面に設けた埋め込み孔（図示せず）に挿入され、下端に設けられた外鍔部１ａを前記埋め込み孔の周りの取付下面に当接させて取付けられる器具本体１と、器具本体１の外側面下方に設けられたばね取付部１ｂと、弾性を有する２つの取付ばね２，２とを備えてなる。
【０００５】
器具本体１は、上端部にランプソケット３を設け、ランプソケット３の上側に横方向に延出する天板４を設け、天板４に安定器５を取付けている。
【０００６】
取付ばね２は、一端部２ａがばね取付部１ｂに固定され、略Ｖ字形に折曲された他端部２ｂが器具本体１の外側斜め上方へ突出するように設けられている。
【０００７】
上記のように構成された埋め込み型照明器具は、取付ばね２，２の他端部２ｂ，２ｂが埋め込み孔に入るように取付ばね２，２を器具本体１側に弾性変形させて、埋め込み孔に挿入され、外鍔部１ａが埋め込み孔の周りの取付下面に当接すると共に取付ばね２，２が埋め込み孔の内周縁に係止して、取付ばね２，２の弾性力と外鍔部１ａとで取付面を挟持して固定される。
【０００８】
ここで、ばね取付部１ｂについてさらに詳説する。
【０００９】
ばね取付部１ｂは、図１０に示すように、取付ばね２の器具本体１と反対側の面を保持する一対のばね保持部１０，１０と、取付ばね２の器具本体１側の面を支える２つのばね支えリブ１１，１１と、一対のばね保持部１０，１０の中心線ｘ上に設けられ、ばね取付部１ｂに挿入された取付ばね２の抜けを防止する抜け防止爪１２とからなる。
【００１０】
ばね保持部１０，１０は、取付ばね２の一端部２ａの長手方向に沿った両側端と並行するように、取付ばね２の一端部２ａの幅より若干広めの間隔を水平方向に有して並設された一対の立壁１０ａ，１０ａを有し、夫々の立壁１０ａ，１０ａの長手方向に沿った前端から対向する立壁１０ａの方向へ向けて延設片１０ｂ，１０ｂが延設されている。
【００１１】
ばね支えリブ１１，１１は、立壁１０ａの長手方向と並行するように細長に形成され、夫々のばね支えリブ１１，１１を、一対の立壁１０ａ，１０ａ間の中心線ｘと夫々の立壁１０ａ，１０ａとの間で、中心線ｘ寄りの位置に設けている。
【００１２】
上記のように構成されたばね取付部１ｂには、図１１に示すように、取付ばね２の一端部２ａが、ばね保持部１０，１０の延設片１０ｂ，１０ｂの裏面と、ばね支えリブ１１の前面との間に上方より差し込まれる。一度差し込まれた取付ばね２は、一端部２ａを形成するばね板の中心に、先端が器具本体１側に向けて略く字形に折曲された弾性片２ｃを有しており、弾性片２ｃと抜け防止爪１２の下面とが係合することにより、取付ばね２の抜けが防止される。
【００１３】
【特許文献１】
特開平８−１２４４１９号公報
【特許文献２】
特開平９−１３４６１１号公報
【特許文献３】
特開平４−６２７０９号公報
【００１４】
【発明が解決しようとする課題】
しかしながら、光源を水平状態に設けたタイプの埋め込み型照明器具などでは、照明器具を施工する際に、光源の方向を合わすために取付ばね２を取付面に取り付けた状態で照明器具を回して位置調整をすることがあり、その際、取付ばね２には、ねじれる方向の力がかかり、取付ばね２を固定しているばね取付部１ｂにもその応力がかかることとなる。そのため、弾性力が少なく局部的に応力がかかると脆く折れやすい物性をもった樹脂材料を用いて前記従来例のようなばね取付部１ｂを形成した場合、取付面に取り付けた状態で照明器具を回して位置調整をするなどしてばね取付部１ｂに応力がかかると、ばね取付部１ｂが破壊する恐れがあるため、たとえコストが安くても、弾性力が少なく局部的に応力がかかると脆く折れやすい物性をもった樹脂材料は、前記ばね取付部１ｂを有する埋め込み型照明器具の形成には用いることができないという問題があった。
【００１５】
本発明は上記問題点に鑑みて為されたものであって、その目的とするところは、弾性力が少なく局部的に応力がかかると脆くて折れやすいがコストの安い樹脂材料を用いてコストダウンを図ることのできる埋め込み型照明器具を提供することにある。
【００１６】
【課題を解決するための手段】
上記目的を達成するために、請求項１の発明は、取付面に設けられた埋め込み孔に挿入され、下端に設けられた外鍔部を前記埋め込み孔の周りの取付下面に当接させて取付けられる器具本体と、前記器具本体の外側面下方に設けられたばね取付部と、前記ばね取付部に一端部が固定され他端部の弾性力で前記器具本体を前記取付面に固定する複数の取付ばねとを備え、前記ばね取付部は、前記取付ばねの一端部の長手方向に沿った両側端と並行するように水平方向に所定の間隔を有して一対の立壁が並設され、夫々の立壁の長手方向に沿った前端から対向する立壁の方向へ向けて延設された延設片で前記取付ばねの器具本体と反対側の面を保持するばね保持部と、前記一対の立壁の間に設けられ前記取付ばねの器具本体側の面を支えるばね支えリブとを備え、前記ばね保持部の延設片の下端に、該延設片と前記立壁と前記器具本体の外側面とを一体に接続する補強壁を設けたものとした。
【００１７】
請求項２の発明は、請求項１記載の発明において、前記補強壁の下面から、該補強壁と直交し該補強壁と前記器具本体の外側面とをつなぐリブを延設したものとした。
【００１８】
請求項３の発明は、請求項２記載の発明において、前記立壁の長手方向と並行する２つの前記ばね支えリブを有し、夫々のばね支えリブを、前記一対の立壁間の中心線と夫々の立壁との間で、前記立壁寄りの位置に設けたものとした。
【００１９】
請求項４の発明は、請求項３記載の発明において、前記ばね保持部の延設片を厚肉に形成したものとした。
【００２０】
請求項５の発明は、請求項３記載の発明において、前記ばね保持部の立壁と延設片との隅部を、該立壁および該延設片の両面に対して斜めに形成したものとした。
【００２１】
請求項６の発明は、請求項３記載の発明において、前記ばね保持部の立壁と延設片との隅部にアールを設けたものとした。
【００２２】
【発明の実施の形態】
以下、本発明を実施形態１から実施形態５によって説明する。
【００２３】
（実施形態１）
本実施形態の埋め込み型照明器具は、図９乃至１１に示した従来の埋め込み型照明器具のばね取付部１ｂに代えて、ばね取付部１ｃを備えた点に特徴があり、それ以外の器具本体１や取付ばね２などの基本構成は前記従来例と共通するために共通する部分については同一の符号を付して説明を省略する。
【００２４】
尚、上記した従来の埋め込み型照明器具は、器具本体１の上端部にランプソケット３を設けていたが、ランプソケット３を水平状態に設けたタイプの埋め込み型照明器具でもよい。
【００２５】
図１に、本実施形態のばね取付部１ｃを示す。このばね取付部１ｃは、図１０の従来のばね取付部１ｂと比較して、一対のばね保持部１０，１０の延設片１０ｂ，１０ｂの夫々の下端に、該延設片１０ｂと立壁１０ａと器具本体１の外側面とを一体に接続する補強壁１０ｃを設けた点に特徴がある。
【００２６】
また、従来のばね取付部１ｂと同様に、２つのばね支えリブ１１，１１が、立壁１０ａの長手方向と並行するように細長に形成され、夫々のばね支えリブ１１，１１が、一対の立壁１０ａ，１０ａ間の中心線ｘと夫々の立壁１０ａ，１０ａとの間で、中心線ｘ寄りの位置に設けられると共に、中心線ｘ上には、ばね取付部１ｃに挿入された取付ばね２の抜けを防止する抜け防止爪１２が設けられている。
【００２７】
かかるばね取付部１ｃを備えた埋め込み型照明器具においては、弾性力が少なく局部的に応力がかかると脆く折れやすい物性をもった樹脂材料を用いてばね取付部１ｃを形成し、天井などの取付面に取り付けた状態で器具本体１を回して位置調整するなどして、ばね取付部１ｃに応力がかかった場合でも、補強壁１を設けたことによりばね保持部１０の強度が増しており、ばね保持部１０の破壊を防ぐことができるので、弾性力が少なく局部的に応力がかかると脆くて折れやすいがコストの安い樹脂材料を用いて製品のコストダウンを図ることができる。
【００２８】
（実施形態２）
本実施形態における基本構成は実施形態１と共通するために共通する部分については同一の符号を付して説明を省略し、本実施形態の特徴となる部分についてのみ詳細に説明する。
【００２９】
則ち、本実施形態の埋め込み型照明器具は、実施形態１の埋め込み型照明器具において、図２に示すように、ばね取付部１ｃの補強壁１０ｃの下面から、補強壁１０ｃと直交し、補強壁１０ｃと器具本体１の外側面とをつなぐリブ１０ｄを延設した点に特徴がある。
【００３０】
かかるばね取付部１ｄを備えた埋め込み型照明器具においては、ばね保持部１０の強度が実施形態１より更に増し、ばね取付部１ｄに応力がかかった場合でも、ばね取付部１ｄの破壊を防ぐことができるので、弾性力が少なく局部的に応力がかかると脆くて折れやすいがコストの安い樹脂材料を用いて製品のコストダウンを図ることができる。
【００３１】
（実施形態３）
本実施形態における基本構成は実施形態２と共通するために共通する部分については同一の符号を付して説明を省略し、本実施形態の特徴となる部分についてのみ詳細に説明する。
【００３２】
則ち、本実施形態の埋め込み型照明器具は、実施形態２の埋め込み型照明器具においては一対の立壁１０ａ，１０ａ間の中心線ｘと夫々の立壁１０ａ，１０ａとの間で、中心線ｘ寄りの位置に設けられていた２つのばね支えリブ１１，１１を、夫々のばね支えリブ１１を設ける間隔を広げて、図３に示すように、一対の立壁１０ａ，１０ａ間の中心線ｘと夫々の立壁１０ａ，１０ａとの間で、夫々の立壁１０ａ寄りの位置に設けた点に特徴がある。
【００３３】
図４に示すように、埋め込み型照明器具を取付面に取り付けた状態で、器具本体１を矢印ｙ１の方向へ回すと、取付ばね２にねじれる方向の力がかかると共に、取付ばね２からばね保持部１０へ、回転の進行方向側のばね支えリブ１１の前面１１ａを支点として矢印ｙ２で示した応力がかかり、回転の進行方向と反対側のばね保持部１０の破線で囲った部分ｚが破壊してしまう。
【００３４】
そこで、２つのばね支えリブ１１，１１を、間隔を広げて設けることにより、取付ばね２に力が加わった際にばね保持部１０にかかる応力の支点がずれて、ばね保持部１０にかかる応力が低減される。
【００３５】
かかるばね取付部１ｅを備えた埋め込み型照明器具においては、取付面に取り付けた状態で器具本体１を回して位置調整するなどして、ばね取付部１ｅに応力がかかった場合でも、ばね支えリブ１１，１１の間隔を広げたことによりばね保持部１０にかかる応力が低減され、ばね保持部１０の破壊を更に防ぐことができるので、弾性力が少なく局部的に応力がかかると脆くて折れやすいがコストの安い樹脂材料を用いて製品のコストダウンを図ることができる。
【００３６】
（実施形態４）
本実施形態における基本構成は実施形態３と共通するために共通する部分については同一の符号を付して説明を省略し、本実施形態の特徴となる部分についてのみ詳細に説明する。
【００３７】
則ち、本実施形態の埋め込み型照明器具は、実施形態３の埋め込み型照明器具において、取付ばね２の器具本体１と反対側の面を保持する延設片１０ｂを、図５に示すように、厚肉に形成した点に特徴がある。
【００３８】
例えば、実施形態３の延設片１０ｂの肉厚を１．５ｍｍとすると、本実施形態の延設片の肉厚は、２．２ｍｍとする。
【００３９】
かかるばね取付部１ｆを備えた埋め込み型照明器具においては、図４で示したように取付ばね２からの応力を受ける延設片１０ｂの強度が増し、ばね取付部１ｆに応力がかかった場合でも、ばね取付部１ｆの破壊を更に防ぐことができるので、弾性力が少なく局部的に応力がかかると脆くて折れやすいがコストの安い樹脂材料を用いて製品のコストダウンを図ることができる。
【００４０】
尚、本実施形態のばね取付部１ｆを備えた埋め込み型照明器具と、従来例で示したばね取付部１ｂを備えた埋め込み型照明器具の、夫々のばね取付部の強度比較を行った結果を表１に示す。
【００４１】
実験方法としては、従来より使用している樹脂材料の一例としてＰＢＴ（ポリブチレンテレフタレート）を用い、弾性力が少なく局部的に応力がかかると脆くて折れやすい樹脂材料の一例としてＳＰＳ（シンジオタクチックポリスチレン）を用い、ＰＢＴを用いて形成した従来のばね取付部１ｂを備えた埋め込み型照明器具と、ＳＰＳを用いて形成した従来のばね取付部１ｂを備えた埋め込み型照明器具と、ＳＰＳを用いて形成した本実施形態のばね取付部１ｆを備えた埋め込み型照明器具とを、図６に示すように、夫々の取付ばね２の先端（他端部）２ｂを掴んで矢印ｙ３方向（左右何れか）に力をかけてばね取付部に応力がかかるようにして、ばね取付部が破壊した時の応力値を測定した。
【００４２】
尚、実験にはランプソケット３が水平状態に設けられたタイプの埋め込み型照明器具を用い、図６中において、６は蛍光灯であり、７は電子スタータである。
【００４３】
【表１】
2004119157.tif 000003
【００４４】
表１より、従来のばね取付部１ｂを備えた照明器具をＳＰＳを用いて形成すると、ＰＢＴを用いて形成した時と比べて、半分以下の応力値でばね取付部１ｂが破壊してしまうが、本実施形態のばね取付部１ｆを備えた照明器具の場合、ＳＰＳを用いて形成しても、従来のＰＢＴを用いて形成した従来のばね取付部１ｂを備えた照明器具と同等以上の応力値までばね取付部１ｆが破壊せず、強度が向上していることが確認できる。
【００４５】
よって、弾性力が少なく局部的に応力がかかると脆くて折れやすいがコストの安い樹脂材料を用いて照明器具を形成し、コストダウンを図ることができる。
【００４６】
（実施形態５）
本実施形態における基本構成は実施形態３と共通するために共通する部分については同一の符号を付して説明を省略し、本実施形態の特徴となる部分についてのみ詳細に説明する。
【００４７】
則ち、本実施形態の埋め込み型照明器具は、実施形態３の埋め込み型照明器具において、ばね保持部１０を形成する立壁１０ａと延設片１０ｂとの隅部を、図７に示すように、立壁１０ａおよび延設片１０ｂの両面に対して斜めとなるように形成した点に特徴がある。
【００４８】
かかるばね取付部１ｇを備えた埋め込み型照明器具においては、図４で示したように取付ばね２からの応力を受ける延設片１０ｂと立壁１０ａとの隅部（コーナー部）の肉厚が増し、ばね保持部１０の強度が増すので、ばね取付部１ｇに応力がかかった場合でも、ばね取付部１ｇの破壊を更に防ぐことができ、弾性力が少なく局部的に応力がかかると脆くて折れやすいがコストの安い樹脂材料を用いて製品のコストダウンを図ることができる。
【００４９】
尚、延設片１０ｂと立壁１０ａとの隅部の肉厚を増すための形状としては、図８に示すように、立壁１０ａと延設片１０ｂとの隅部にアール設けた形状でもよい。この場合も、ばね保持部１０の強度が増し、弾性力が少なく局部的に応力がかかると脆くて折れやすいがコストの安い樹脂材料を用いて製品のコストダウンを図ることができる。
【００５０】
【発明の効果】
請求項１の発明は、取付面に設けられた埋め込み孔に挿入され、下端に設けられた外鍔部を前記埋め込み孔の周りの取付下面に当接させて取付けられる器具本体と、前記器具本体の外側面下方に設けられたばね取付部と、前記ばね取付部に一端部が固定され他端部の弾性力で前記器具本体を前記取付面に固定する複数の取付ばねとを備え、前記ばね取付部は、前記取付ばねの一端部の長手方向に沿った両側端と並行するように水平方向に所定の間隔を有して一対の立壁が並設され、夫々の立壁の長手方向に沿った前端から対向する立壁の方向へ向けて延設された延設片で前記取付ばねの器具本体と反対側の面を保持するばね保持部と、前記一対の立壁の間に設けられ前記取付ばねの器具本体側の面を支えるばね支えリブとを備え、前記ばね保持部の延設片の下端に、該延設片と前記立壁と前記器具本体の外側面とを一体に接続する補強壁を設けたので、前記補強壁を設けたことにより前記ばね保持部の強度が増し、弾性力が少なく局部的に応力がかかると脆く折れやすい物性をもった樹脂材料を用いて前記ばね取付部を形成し該ばね取付部に応力がかかった場合でも前記ばね保持部の破壊を防ぐことができるので、弾性力が少なく局部的に応力がかかると脆くて折れやすいがコストの安い樹脂材料を用いてコストダウンを図ることができるという効果がある。
【００５１】
請求項２の発明は、請求項１記載の発明において、前記補強壁の下面から、該補強壁と直交し該補強壁と前記器具本体の外側面とをつなぐリブを延設したので、前記ばね保持部の強度が更に増し、弾性力が少なく局部的に応力がかかると脆く折れやすい物性をもった樹脂材料を用いて前記ばね取付部を形成し前記ばね取付部に応力がかかった場合でも、前記ばね取付部の破壊を更に防ぐことができるので、弾性力が少なく局部的に応力がかかると脆くて折れやすいがコストの安い樹脂材料を用いて製品のコストダウンを図ることができるという効果がある。
【００５２】
請求項３の発明は、請求項２記載の発明において、前記立壁の長手方向と並行する２つの前記ばね支えリブを有し、夫々のばね支えリブを、前記一対の立壁間の中心線と夫々の立壁との間で、前記立壁寄りの位置に設けたので、弾性力が少なく局部的に応力がかかると脆く折れやすい物性をもった樹脂材料を用いて前記ばね取付部を形成し、前記ばね支えリブを支点として前記取付ばねから前記ばね保持部に応力がかかった場合でも、前記２つのばね支えリブの間隔を広げて設けたことにより前記ばね保持部にかかる応力の支点がずれて、前記ばね保持部にかかる応力が低減され、前記ばね保持部の破壊を更に防ぐことができるので、弾性力が少なく局部的に応力がかかると脆くて折れやすいがコストの安い樹脂材料を用いて製品のコストダウンを図ることができるという効果がある。
【００５３】
請求項４の発明は、請求項３記載の発明において、前記ばね保持部の延設片を厚肉に形成したので、前記ばね保持部の強度が増し、弾性力が少なく局部的に応力がかかると脆く折れやすい物性をもった樹脂材料を用いて前記ばね取付部を形成し前記ばね保持部に応力がかかった場合でも、前記ばね保持部の破壊を更に防ぐことができるので、弾性力が少なく局部的に応力がかかると脆くて折れやすいがコストの安い樹脂材料を用いて製品のコストダウンを図ることができるという効果がある。
【００５４】
請求項５の発明は、請求項３記載の発明において、前記ばね保持部の立壁と延設片との隅部を、該立壁および該延設片の両面に対して斜めに形成したので、前記立壁と前記延設片との隅部の肉厚が増すことで前記ばね保持部の強度が増し、弾性力が少なく局部的に応力がかかると脆く折れやすい物性をもった樹脂材料を用いて前記ばね取付部を形成し前記ばね保持部に応力がかかった場合でも、前記ばね保持部の破壊を更に防ぐことができるので、弾性力が少なく局部的に応力がかかると脆くて折れやすいがコストの安い樹脂材料を用いて製品のコストダウンを図ることができるという効果がある。
【００５５】
請求項６の発明は、請求項３記載の発明において、前記ばね保持部の立壁と延設片との隅部にアールを設けたので、請求項５記載の発明と同様に、前記立壁と前記延設片との隅部の肉厚が増すことで前記ばね保持部の強度が増し、弾性力が少なく局部的に応力がかかると脆く折れやすい物性をもった樹脂材料を用いて前記ばね取付部を形成し前記ばね保持部に応力がかかった場合でも、前記ばね保持部の破壊を更に防ぐことができるので、弾性力が少なく局部的に応力がかかると脆くて折れやすいがコストの安い樹脂材料を用いて製品のコストダウンを図ることができるという効果がある。
【図面の簡単な説明】
【図１】（ａ）実施形態１の埋め込み型照明器具のばね取付部の平面断面図である。
（ｂ）同上の正面図である。
（ｃ）同上の側面断面図である。
【図２】（ａ）実施形態２の埋め込み型照明器具のばね取付部の平面断面図である。
（ｂ）同上の正面図である。
（ｃ）同上の側面断面図である。
【図３】（ａ）実施形態３の埋め込み型照明器具のばね取付部の平面断面図である。
（ｂ）同上の正面図である。
【図４】同上でばね取付部に応力がかかる様子を示した説明図である。
【図５】実施形態４の埋め込み型照明器具のばね取付部の平面断面図である。
【図６】同上の強度を測定する様子を説明する説明図である。
【図７】実施形態５の埋め込み型照明器具のばね取付部の平面断面図である。
【図８】同上の別の形状をしたばね取付部の平面断面図である。
【図９】従来の埋め込み型照明器具の外観図である。
【図１０】（ａ）同上のばね取付部の平面断面図である。
（ｂ）同上の正面図である。
（ｃ）同上の側面断面図である。
【図１１】（ａ）同上の取付ばねの側面図である。
（ｂ）同上でばね取付部に取付ばねを取り付けた状態を説明する説明図である。
【符号の説明】
１　器具本体
１ａ　外鍔部
１ｂ〜１ｇ　ばね取付部
２　取付ばね
１０　ばね保持部
１０ａ　立壁
１０ｂ　延設片
１０ｃ　補強壁
１１　ばね支えリブ
１２　抜け防止爪
【図１】
2004119157.tif 000004
【図２】
2004119157.tif 000005
【図３】
2004119157.tif 000006
【図４】
2004119157.tif 000007
【図５】
2004119157.tif 000008
【図６】
2004119157.tif 000009
【図７】
2004119157.tif 000010
【図８】
2004119157.tif 000011
【図９】
2004119157.tif 000012
【図１０】
2004119157.tif 000013
【図１１】
2004119157.tif 000014